(57)【特許請求の範囲】
【請求項１】
原稿が順次読み取られて入力された画像データを、使用可能なフレームサイズがフレームサイズに限られて転送する情報処理装置であって、
前記原稿のサイズが不定形の場合、前記原稿の終端を検出するまでは前記画像データを予め定めれられた第１のフレームサイズのフレームで転送先に転送し、前記原稿の終端を検出したときに前記画像データの未転送部分が存在しているとき、前記未転送部分を次の原稿に対応する画像データの転送開始前に転送が終了するように前記第１のフレームサイズよりも小さい第２のフレームサイズのフレームで前記転送先に転送する転送制御部を備えた情報処理装置。
【請求項２】
前記転送制御部は、
前記原稿のサイズが定形か不定形かを判定する原稿サイズ判定部と、
前記原稿サイズ判定部により前記原稿のサイズが不定形と判定されたとき、前記原稿の終端を検出する原稿終端検出部と、
前記第１のフレームサイズ及び２以上の前記第２のフレームサイズを記憶する記憶部と、
前記原稿サイズ判定部により前記原稿のサイズが不定形と判定され、かつ、前記原稿終端検出部により前記原稿の終端が検出されたときに前記画像データの未転送部分が存在しているとき、最後にフレームを転送した後、前記次の原稿に対応する画像データの転送開始までの時間内に転送が終わる前記第２のフレームサイズを前記記憶部から選択するフレームサイズ選択部と、
前記第１のフレームサイズ、又は前記フレームサイズ選択部によって選択された前記第２のフレームサイズのフレームを生成するフレーム生成部と、
前記フレーム生成部によって生成された前記フレームをシリアルデータに変換してシリアルインタフェースを介して前記転送先に転送するシリアライズ部と、
を備えた請求項１に記載の情報処理装置。
【請求項３】
前記フレームサイズ選択部は、前記２以上の第２のフレームサイズのうち大きい方の前記第２のフレームサイズを優先的に選択する、
請求項２に記載の情報処理装置。
【請求項４】
前記フレームサイズ選択部は、前記２以上の第２のフレームサイズのうち最小の前記第２のフレームサイズでなければ前記時間内に転送できないとき、前記最小の第２のフレームサイズのフレームでの繰り返し転送回数を算出し、前記転送回数分の前記最小の第２のフレームサイズのフレームをし生成するように前記フレーム生成部を制御する、
請求項３に記載の情報処理装置。
【発明の詳細な説明】
【技術分野】
【０００１】
本発明は、情報処理装置に関する。
【背景技術】
【０００２】
従来、テレビジョンなどの動画映像を伝送する機器間信号のインタフェース装置が提案されている（例えば、特許文献１参照）。
【０００３】
このインタフェース装置は、映像信号のフレームフォーマットを分割して、サブフレームフォーマットを生成するサブフレームフォーマット生成部と、サブフレームフォーマットから１ワードが６４ビットである６４Ｂストリームを生成する６４Ｂ変換部と、６４Ｂストリームを６４Ｂ／６６Ｂ符号化して６６Ｂストリームを生成する６４Ｂ／６６Ｂ符号化部と、６６Ｂストリームを周期的にブロック化してブロックの間にダミーデータを挿入するブロック分割部と、ダミーデータを周期的にアライメント信号に置き換えるアライメント挿入部と、アライメント挿入部の出力を並列−直列変換する並列−直列変換部とを備える。
【先行技術文献】
【特許文献】
【０００４】
【特許文献１】特開２０１１−１４２５２１号公報
【発明の概要】
【発明が解決しようとする課題】
【０００５】
複数の原稿を順次読み取る機能を備えた情報処理装置では、読み取った画像データを待ち時間が生じないように転送することが求められている。
【０００６】
そこで、本発明の目的は、順次入力される画像データを、フレームサイズが限られて転送する場合、原稿のサイズが不定形であっても当該画像データの転送が次の画像データの転送開始前に終わるようにした情報処理装置を提供することにある。
【課題を解決するための手段】
【０００７】
［１］原稿が順次読み取られて入力された画像データを、使用可能なフレームサイズがフレームサイズに限られて転送する情報処理装置であって、
前記原稿のサイズが不定形の場合、前記原稿の終端を検出するまでは前記画像データを予め定めれられた第１のフレームサイズのフレームで転送先に転送し、前記原稿の終端を検出したときに前記画像データの未転送部分が存在しているとき、前記未転送部分を次の原稿に対応する画像データの転送開始前に転送が終了するように前記第１のフレームサイズよりも小さい第２のフレームサイズのフレームで前記転送先に転送する転送制御部を備えた情報処理装置。
［２］前記転送制御部は、
前記原稿のサイズが定形か不定形かを判定する原稿サイズ判定部と、
前記原稿サイズ判定部により前記原稿のサイズが不定形と判定されたとき、前記原稿の終端を検出する原稿終端検出部と、
前記第１のフレームサイズ及び２以上の前記第２のフレームサイズを記憶する記憶部と、
前記原稿サイズ判定部により前記原稿のサイズが不定形と判定され、かつ、前記原稿終端検出部により前記原稿の終端が検出されたときに前記画像データの未転送部分が存在しているとき、最後にフレームを転送した後、前記次の原稿に対応する画像データの転送開始までの時間内に転送が終わる前記第２のフレームサイズを前記記憶部から選択するフレームサイズ選択部と、
前記第１のフレームサイズ、又は前記フレームサイズ選択部によって選択された前記第２のフレームサイズのフレームを生成するフレーム生成部と、
前記フレーム生成部によって生成された前記フレームをシリアルデータに変換してシリアルインタフェースを介して前記転送先に転送するシリアライズ部と、
を備えた前記［１］に記載の情報処理装置。
［３］前記フレームサイズ選択部は、前記２以上の第２のフレームサイズのうち大きい方の前記第２のフレームサイズを優先的に選択する、前記［２］に記載の情報処理装置。
［４］前記フレームサイズ選択部は、前記２以上の第２のフレームサイズのうち最小の前記第２のフレームサイズでなければ前記時間内に転送できないとき、前記最小の第２のフレームサイズのフレームでの繰り返し転送回数を算出し、前記転送回数分の前記最小の第２のフレームサイズのフレームを生成するように前記フレーム生成部を制御する、前記［３］に記載の情報処理装置。
【発明の効果】
【０００８】
請求項１、２に係る発明によれば、順次入力される画像データを、フレームサイズが限られているシリアルインタフェースを介して転送する場合、原稿のサイズが不定形であっても当該画像データの転送を次の画像データの転送開始前に終わらせることができる。
請求項３、４に係る発明によれば、大きい方の第２のフレームサイズを優先的に選択しない場合と比べて転送に使用するフレーム数を少なくすることができる。
【図面の簡単な説明】
【０００９】
【図１】図１は、本発明の実施の形態に係る情報処理装置の外観の一例を示す斜視図である。
【図２】図２は、本実施の形態に係る情報処理装置の制御系の一例を示すブロック図である。
【図３】図３は、フレームの構成を示し、（ａ）は、画像データを２フレームで転送する場合、（ｂ）は、（ａ）と同じデータ量の画像データを４フレームで転送する場合を示す図である。
【図４】図４は、最終フレームを転送する際のタイミングチャートの一例を示す図である。
【図５】図５は、原稿のサイズが不定形の場合の転送制御部の動作の一例を示すフローチャートである。
【発明を実施するための形態】
【００１０】
以下、本発明の実施の形態について図面を参照して説明する。なお、各図中、実質的に同一の機能を有する構成要素については、同一の符号を付してその重複した説明を省略する。
【００１１】
図１は、本発明の実施の形態に係る情報処理装置の外観の一例を示す斜視図である。
【００１２】
この情報処理装置１は、トレー２１に積層状態で配置された複数の原稿２０を１枚ずつ読取部２４に自動給紙する自動給紙装置２２と、原稿２０が１枚ずつ配置される原稿台２５とを備えた画像入力部２を有し、さらにプリンタ、コピー、ファクシミリ等の機能を有する複合機であり、本体部１ａ内に情報を処理する機能を有するＣＰＵ（Central Processing Unit）や不揮発性メモリ等を備えた図２に示すコントローラ５と、画像入力部２から入力された画像データをシリアル通信路４を介してコントローラ５に転送する制御を行う図２に示す転送制御部３とを備える。また、情報処理装置１は、メニューや各種ボタン等を表示するとともにそれらに対する操作を受け付けるタッチディスプレイ等の操作表示部１２を有する。ここで、コントローラ５は、転送先の一例である。
【００１３】
本装置１が対象とする原稿２０は、定形サイズのものでも不定形サイズのものでもよく、これらが混在してもよい。「定形サイズ」とは、例えばＪＩＳ規格に従ったＡ列（Ａ３、Ａ４等）、Ｂ列（Ｂ３、Ｂ４等）や米国規格のリーガルサイズ等に準拠した原稿のサイズをいう。「不定形サイズ」とは、走査方向が予め定められた幅（例えば、トレー２１によって定まる幅）以下であって、定形サイズの副走査方向の最大長さよりも長いものをいう。
【００１４】
図２は、本実施の形態に係る情報処理装置１の制御系の一例を示すブロック図である。情報処理装置１は、画像データを入力する画像入力部２と、画像入力部２から入力された画像データをシリアル通信路４を介してコントローラ５に転送する転送制御部３と、転送制御部３から転送された画像データを記憶保持するコントローラ５とを備える。
【００１５】
画像入力部２は、自動給紙装置２２から供給された原稿２０を検出する原稿検出部２３と、自動給紙装置２２から供給された原稿２０、又は原稿台２５に配置された原稿２０から画像データをＣＣＤ（Charge Coupled Device）等の固体撮像素子によって光学的に読み取る読取部２４とを備える。
【００１６】
シリアル通信路４は、使用可能なフレームサイズが複数（本実施の形態では４つ）のフレームサイズ（大きい方から順にＶ０、Ｖ１、Ｖ２、Ｖ３とする。）に限られているシリアルインタフェース、例えば、ＭＩＰＩ（Mobile Industry Processor Interface）が用いられる。また、最も大きいフレームサイズＶ０を「第１のフレームサイズ」、その他のフレームサイズＶ１、Ｖ２、Ｖ３を「第２のフレームサイズ」という。ＭＩＰＩでは、任意のフレームサイズを設定できず、予め用意された４つのフレームサイズから選択する必要がある。フレームサイズには、例えば、７２０×４８０ｐ、１２８０×７２０ｐ、１９２０×１０８０ｐ、４０９６×２１６０ｐ又は３８４０×２１６０ｐがある。また、ＭＩＰＩでは、１つの通信路を共用する複数のバーチャルチャネル（Virtual Channel）があり、各バーチャルチャネルには、それぞれバッファが設けられている。本実施の形態では、フレームサイズが格納されたサイズバッファ３４として用いる。
【００１７】
コントローラ５は、転送制御部３からシリアル通信路４を介して転送されたシリアルの画像データをパラレルの画像データに変換するデシリアライズ部５０と、デシリアライズ部５０によって変換された画像データを記憶する不揮発性のシステムメモリ５１とを備える。コントローラ５は、システムメモリ５１に記憶された画像データを選択されたメニューに応じてプリンタエンジン、ハードディスク、ユーザ端末等に転送する。
【００１８】
原稿検出部２３は、主走査方向の複数の箇所に配置され、原稿２０を検出したときに原稿検出信号２３ａを送信する複数の原稿センサと、原稿２０の副走査方向（給紙方向）における先端と後端を検出してページ同期信号２３ｂを送信するエッジセンサとを備える。
【００１９】
（転送制御部の構成）
転送制御部３は、複数の原稿２０が順次読み取られて読取部２４から入力された画像データを、シリアル通信路４を介してコントローラ５に転送するものであり、原稿のサイズが不定形の場合、原稿２０の終端を検出するまでは画像データを予め定められた第１のフレームサイズＶ０のフレームでコントローラ５に転送し、原稿２０の終端を検出したときに画像データの未転送部分が存在しているとき、未転送部分を次の原稿２０に対応する画像データの転送開始前に転送が終了するように第１のフレームサイズＶ０よりも小さい第２のフレームサイズＶ１〜Ｖ３のフレームでコントローラ５に１回又は２回以上に分けて転送する。
【００２０】
なお、第１のフレームサイズはシリアル通信路４で使用可能なフレームサイズのうち比較的大きなフレームサイズであればよく、最大のフレームサイズに限られない。例えば、第１のフレームサイズＶ０を用いずにフレームサイズＶ１を「第１のフレームサイズ」、フレームサイズＶ２、Ｖ３ を「第２のフレームサイズ」としてもよい。 また、使用するフレームサイズは４つに限られない。例えば、第２のフレームサイズは、本実施の形態では、３つであるが、２つでもよい。
【００２１】
転送制御部３は、原稿サイズ判定部３０と、原稿終端検出部３１と、フレームバッファ３２と、フレームサイズ設定部３３と、サイズバッファ３４と、フレームサイズ選択部３５と、フレーム生成部３６と、シリアライズ部３７とを備える。このような転送制御部３は、例えば、ＡＳＩＣ（Application Specific Integrated Circuit）やＦＰＧＡ（Field Programmable Gate Array）等で実現することができる。ここで、フレームバッファ３２は、記憶部の一例である。
【００２２】
原稿サイズ判定部３０は、原稿検出部２３の原稿センサからの原稿検出信号２３ａ、及びエッジセンサからのページ同期信号２３ｂに基づいて、原稿サイズを判定するとともに、原稿２０が定形か不定形かを判定する。すなわち、原稿サイズ判定部３０は、原稿検出信号２３ａに基づいて原稿２０の主走査方向のサイズを検出し、ページ同期信号２３ｂに基づいて原稿２０の副走査方向のサイズを検出する。原稿サイズ判定部３０は、原稿２０の判定結果３０ａを原稿終端検出部３１及びフレームサイズ選択部３５に出力する。
【００２３】
原稿終端検出部３１は、原稿サイズ判定部３０から原稿２０のサイズが不定形であることを示す判定結果３０ａを受けると、原稿２０の終端、すなわち原稿検出部２３からのページ同期信号２３ｂの後端を監視する。原稿終端検出部３１は、ページ同期信号２３ｂの後端を検出すると、ページ同期信号２３ｂの後端の検出信号３１ａをフレームサイズ選択部３５に送信する。
【００２４】
フレームバッファ３２には、読取部２４から出力された１ページ分の画像データがビットマップデータとして格納される。フレームバッファ３２は、画像データの格納が終了すると、フレームバッファ３２に格納されたビットマップデータをシリアライズ部３７に転送する。
【００２５】
フレームサイズ設定部３３は、ユーザの操作表示部１２に対する操作に基づいて、シリアル通信路４で使用可能なフレームサイズをサイズバッファ３４に設定する。
【００２６】
サイズバッファ３４は、複数のバッファ３４ａ〜３４ｄから構成されており、各バッファ３４ａ〜３４ｄには、フレームサイズ設定部３３によって設定されたフレームサイズＶ０、Ｖ１、Ｖ２、Ｖ３が記憶されている。
【００２７】
フレームサイズ選択部３５は、原稿サイズ判定部３０により原稿２０のサイズが不定形と判定され、かつ、原稿終端検出部３１により原稿２０の終端が検出されたときに画像データの未転送部分が存在しているとき、最後に第１のフレームサイズＶ０のフレームを転送した後、次の原稿２０に対応する画像データの転送開始までの時間（以下「制限時間」という。）内に転送が終わる第２のフレームサイズＶ１、Ｖ２、Ｖ３をサイズバッファ３４から選択する。
【００２８】
また、フレームサイズ選択部３５は、２以上の第２のフレームサイズＶ１〜Ｖ３のうちフレームサイズが大きい方の第２のフレームサイズＶ１〜Ｖ３を優先的に選択する。
【００２９】
さらに、フレームサイズ選択部３５は、２以上の第２のフレームサイズＶ１〜Ｖ３のうち最小の第２のフレームサイズＶ３でなければ制限時間内に転送できないとき、最小の第２のフレームサイズＶ３のフレームでの繰り返し転送回数を算出し、算出した転送回数分の最小の第２のフレームサイズのフレームを生成するようにフレーム生成部３６を制御する。
【００３０】
フレーム生成部３６は、フレームサイズ選択部３５によって選択されたフレームサイズのフレームを生成する。
【００３１】
シリアライズ部３７は、フレーム生成部３６により生成せれたフレームのデータ部に、フレームバッファ３２から出力された画像データ３２ａを組み込み、フレームをシリアルデータに変換してシリアル通信路４を介してコントローラ５に送信する。
【００３２】
（フレームの構成）
図３は、フレームの構成を示し、（ａ）は、画像データを２フレームで転送する場合、（ｂ）は、（ａ）と同じデータ量の画像データを４フレームで転送する場合を示す。フレームは、転送先、データ量等が記録されたヘッダ部と、画像データに対応するデータ部とから構成されている。ここで、ヘッダ部は、オーバーヘッド部の一例である。転送回数を図３（ａ）に示す２回から図３（ｂ）に示す４回に増やすと、転送回数４回の方は２回よりもヘッダ部を２回転送する分時間Ｔが長くかかる。したがって、フレームサイズ選択部３５は、画像データの未転送部分を制限時間内に転送するため、比較的大きいフレームサイズを優先的に選択することで、転送回数を少なくしている。
【００３３】
（フレームサイズの選択方法の一例）
図４は、最終フレームを転送する際のタイミングチャートの一例を示す図である。当該ページ同期信号２３ｂと次のページ同期信号２３ｂとの間には、当該原稿２０の読取りの終了と次の原稿２０の読取り開始との間に対応したギャップ時間Ｔｇが生じる。原稿２０のサイズが不定形の場合、当該原稿２０の画像データＤ１のうち第１のフレームサイズＶ０の最終フレームで画像データＤ２を転送した後、未転送部分として画像データＤ３が生じる場合がある。
【００３４】
未転送部分の画像データＤ３を転送するのに必要なフレームサイズをＶａ（任意のサイズ）、未転送部分の画像データＤ３をフレームサイズＶａで転送するのに必要な時間（転送時間）をＴａとする。画像データＤ２を第１のフレームサイズＶ０で転送した後、次のページ同期信号２３ｂが開始されるまでの制限時間をＴＬとすると、ＴＬ＝Ｔａ＋Ｔｇとなる。
【００３５】
未転送部分の画像データＤ３を第１のフレームサイズＶ０や第２のフレームサイズＶ１で転送すると、図４に示すように、それらの転送時間は制限時間ＴＬを超えるため、次のページ同期信号２３ｂが開始される前に転送が終わらない。図４に示す場合は、フレームサイズ選択部３５は、１回で転送できる第２のフレームサイズＶ２を優先的に選択し、第２のフレームサイズＶ２では制限時間ＴＬ内に転送できない場合に、最小の第２のフレームサイズＶ３を選択して複数回（図４では２回）で転送する。
【００３６】
（情報処理装置の動作）
次に、情報処理装置１の動作の一例について説明する。ユーザは、複数の原稿２０を画像入力部２のトレー２１に積層状態でセットし、操作表示部１２を操作して原稿２０の読取りを指示する。主に原稿２０サイズが不定形の場合について説明する。
【００３７】
画像入力部２の自動給紙装置２２は、原稿２０の自動給紙を開始する。原稿検出部２３の原稿センサは、原稿２０を検出すると、原稿検出信号２３ａを転送制御部３の原稿サイズ判定部３０に送信する。原稿検出部２３のエッジセンサは、原稿２０の先端を検出してから原稿２０の後端を検出するまでの間ページ同期信号２３ｂを転送制御部３の原稿検出部２３及び原稿終端検出部３１に送信する。
【００３８】
原稿サイズ判定部３０は、原稿検出部２３からの原稿検出信号２３ａ及びページ同期信号２３ｂに基づいて、原稿２０のサイズを判定するとともに、定形か不定形かを判定し、判定結果３０ａを原稿終端検出部３１及びフレームサイズ選択部３５に出力する。
【００３９】
原稿２０のサイズが定形と判定されたときは、フレームサイズ選択部３５は、定形サイズに応じた第２のフレームサイズＶ１〜Ｖ３をサイズバッファ３４から選択し、不定形と判定されたときは、図５のフローチャートに示すように動作する。
【００４０】
図５は、原稿２０のサイズが不定形の場合の転送制御部３の動作の一例を示すフローチャートである。
【００４１】
転送制御部３は、原稿サイズ判定部３０による判定結果３０ａが不定形である場合は、画像入力部２から出力された画像データ２４ａを第１のフレームサイズＶ０のフレームで転送する（Ｓ１）。
【００４２】
すなわち、フレームサイズ選択部３５は、原稿サイズ判定部３０による不定形の判定結果３０ａに基づいてサイズバッファ３４から第１のフレームサイズＶ０を選択し、その選択結果をフレーム生成部３６に出力する。フレーム生成部３６は、ヘッダ部６１を含む第１のフレームサイズＶ０のフレームを生成し、シリアライズ部３７に出力する。シリアライズ部３７は、フレーム生成部３６により生成されたフレームのデータ部に、フレームバッファ３２から出力された画像データ３２ａを組み込み、フレーム６０をシリアルデータに変換してシリアル通信路４を介してコントローラ５に送信する。
【００４３】
原稿終端検出部３１は、原稿サイズ判定部３０から不定形の判定結果３０ａが出力されると、原稿検出部２３からのページ同期信号２３ｂの後端を監視する。原稿終端検出部３１は、ページ同期信号２３ｂの後端を検出すると（Ｓ２：Ｙｅｓ）、検出信号３１ａをフレームサイズ選択部３５に送信する（Ｓ１）。
【００４４】
フレームサイズ選択部３５は、検出信号３１ａ及び第１のフレームサイズＶ０に基づいて未転送部分の有無を判断する（Ｓ３）。未転送部分がなければ（Ｓ３：Ｎｏ）、転送処理は終わる。
【００４５】
未転送部分があれば（Ｓ３：Ｙｅｓ）、フレームサイズ選択部３５は、未転送部分のデータ量から未転送部分を転送する第２のフレームサイズＶ１のフレームの転送時間Ｔａを求め、
Ｔａ＜ＴＬ
を満たすか否かを判断する（Ｓ４）。
【００４６】
Ｔａ＜ＴＬを満たせば（Ｓ４：Ｙｅｓ）、転送制御部３は、ステップＳ１で説明したのと同様に第２のフレームサイズＶ１のフレームを最終フレームとして転送する（Ｓ６）。
【００４７】
Ｔａ＜ＴＬを満たさなければ（Ｓ４：Ｎｏ）、フレームサイズ選択部３５は、現在のフレームサイズを１つ小さくし（Ｓ６）、１つ小さくしたフレームサイズが最小のフレームサイズか否かを判断する（Ｓ７）。フレームサイズ選択部３５は、Ｔａ＜ＴＬを満たすまで、ステップＳ４、Ｓ６及びＳ７の処理を繰り返す。
【００４８】
ステップＳ７において、フレームサイズ選択部３５が選択したフレームサイズが最小のフレームサイズのときは（Ｓ７：Ｙｅｓ）、フレームサイズ選択部３５は、最小のフレームサイズでの繰り返し転送回数を計算する（Ｓ８）。フレーム生成部３６は、算出された転送回数分の最小のフレームサイズＶ３のフレームを最終フレームとして生成し、シリアライズ部３７は、フレーム生成部３６により生成されたフレームを転送する（Ｓ９）。図４では、最小のフレームサイズＶ３のフレームを２回転送している例を示している。
【００４９】
以上、本発明の実施の形態を説明したが、本発明は上記の実施の形態に限定されるものではなく、本発明の要旨を変更しない範囲内で種々の変形、実施が可能である。また、本発明の要旨を変更しない範囲内で、実施の形態のフローにおいて、ステップの追加、削除、変更、入替え等が可能である。
【符号の説明】
【００５０】
１…情報処理装置、１ａ…本体部、２…画像入力部、３…転送制御部、
４…シリアル通信路、５…コントローラ、１２…操作表示部、２０…原稿、
２１…トレー、２２…自動給紙装置、２３…原稿検出部、２３ａ…原稿検出信号、
２３ｂ…ページ同期信号、２４…読取部、２４ａ…画像データ、２５…原稿台、
３０…原稿サイズ判定部、３０ａ…判定結果、３１…原稿終端検出部、
３１ａ…信号、３２…フレームバッファ、３２ａ…画像データ、
３３…フレームサイズ設定部、３４…サイズバッファ、３４ａ-３４ｄ…バッファ、
３５…フレームサイズ選択部、３６…フレーム生成部、３７…シリアライズ部、
５０…デシリアライズ部、５１…システムメモリ、Ｄ１、Ｄ２、Ｄ３…画像データ、
Ｔ…時間、Ｔａ…転送時間、Ｔｇ…ギャップ時間、ＴＬ…制限時間、
Ｖ０…第１のフレームサイズ、Ｖ１-Ｖ３…第２のフレームサイズ、
Ｖａ…フレームサイズ
【図１】
0006623866.tif 000002
【図２】
0006623866.tif 000003
【図３】
0006623866.tif 000004
【図４】
0006623866.tif 000005
【図５】
0006623866.tif 000006